(57)【要約】      （修正有）【課題】ラッピングに用いるリボンテープに対し、ユーザーのメッセージなどを示す印刷画像を適切な位置に印刷可能なリボン作成方法、テープ印刷装置およびプログラムを提供する。【解決手段】携帯端末１は、リボン飾りの完成形のイメージであるリボン飾りイメージ上に印刷可能領域を表示する表示部５１と、情報を入力する入力部５４と、入力された情報を取得する取得部５５と、取得した情報に基づく印刷画像をリボンテープに印刷するための印刷データを生成する印刷データ生成部５６と、を備える。印刷データ生成部５６は、リボン飾りイメージ上における印刷可能領域の配置に応じて、リボンテープ上における印刷画像の印刷位置を決定する。【選択図】図５
2016189129.tif 000002
【特許請求の範囲】
【請求項１】
リボン飾りの完成形のイメージであるリボン飾りイメージ上に、印刷可能領域を表示する表示ステップと、
印刷画像を印刷するための情報を取得する取得ステップと、
前記取得ステップにて取得した情報に基づく前記印刷画像を、リボンテープに印刷するリボン作成ステップと、を実行し、
前記リボン作成ステップは、前記リボン飾りイメージ上における前記印刷可能領域の配置に応じて、前記リボンテープ上における前記印刷画像の印刷位置を決定することを特徴とするリボン作成方法。
【請求項２】
前記リボン飾りの種類を設定する設定ステップを実行し、
前記表示ステップは、設定された前記リボン飾りの種類に応じて、前記リボン飾りイメージを表示すると共に当該リボン飾りイメージ上に前記印刷可能領域を配置することを特徴とする請求項１に記載のリボン作成方法。
【請求項３】
設定された前記リボン飾りの種類に応じて、前記リボン飾りを作成するために必要なリボンテープの長さを算出する算出ステップを実行し、
前記リボン作成ステップは、前記リボンテープを前記算出ステップにて算出された長さに切断する、または当該長さに基づいてカットマークを印刷することを特徴とする請求項２に記載のリボン作成方法。
【請求項４】
前記設定ステップは、ラッピングの対象となるラッピング対象物の寸法を設定し、
前記算出ステップは、設定された前記ラッピング対象物の寸法に応じて、前記リボン飾りの作成および前記ラッピング対象物へのリボン掛けに必要なリボンテープの長さを算出することを特徴とする請求項３に記載のリボン作成方法。
【請求項５】
前記表示ステップは、前記ラッピング対象物のイメージである対象物イメージと、前記ラッピング対象物に掛けられた前記リボンテープのイメージであるリボン掛けイメージと、前記リボン飾りイメージと、を表示すると共に、前記リボン掛けイメージおよび前記リボン飾りイメージ上に、１以上の前記印刷可能領域を表示し、
前記取得ステップは、前記印刷可能領域ごとに異なる前記情報を取得可能であることを特徴とする請求項４に記載のリボン作成方法。
【請求項６】
前記設定ステップは、前記ラッピング対象物へのリボン掛けの種類を設定し、
前記表示ステップは、設定された前記リボン掛けの種類に応じて、前記リボン掛けイメージを表示すると共に当該リボン掛けイメージ上に前記印刷可能領域を配置し、
前記算出ステップは、設定された前記リボン掛けの種類に応じて、前記リボンテープの長さを算出することを特徴とする請求項５に記載のリボン作成方法。
【請求項７】
前記ラッピング対象物を撮像する撮像ステップを実行し、
前記設定ステップは、前記撮像ステップの撮像結果に応じて、前記ラッピング対象物の寸法を設定することを特徴とする請求項４ないし６のいずれか一項に記載のリボン作成方法。
【請求項８】
前記リボン作成ステップは、前記リボンテープに、前記ラッピング対象物への掛け始めの位置、前記ラッピング対象物の角部へ当てる位置、前記リボン飾りの作成対象範囲、前記リボン飾りの結び位置、前記リボン飾りのリボン重なり位置、のうち少なくとも一つを示すマークを印刷することを特徴とする請求項４ないし７のいずれか一項に記載のリボン作成方法。
【請求項９】
リボン飾りの完成形のイメージであるリボン飾りイメージ上に、印刷可能領域を表示する表示部と、
印刷画像を印刷するための情報を取得する取得部と、
前記取得部が取得した情報に基づく前記印刷画像を、リボンテープに印刷する印刷部と、を備え、
前記印刷部は、前記リボン飾りイメージ上における前記印刷可能領域の配置に応じて、前記リボンテープ上における前記印刷画像の印刷位置を決定することを特徴とするテープ印刷装置。
【請求項１０】
リボン飾りの完成形のイメージであるリボン飾りイメージ上に、印刷可能領域を表示する表示ステップと、
印刷画像を印刷するための情報を取得する取得ステップと、
前記取得ステップにて取得した情報に基づく前記印刷画像を、リボンテープに印刷するための印刷データを生成する印刷データ生成ステップと、をコンピューターに実行させるためのプログラムであって、
前記印刷データ生成ステップは、前記リボン飾りイメージ上における前記印刷可能領域の配置に応じて、前記リボンテープ上における前記印刷画像の印刷位置を決定することを特徴とするプログラム。
【発明の詳細な説明】
【技術分野】
【０００１】
本発明は、リボンテープに印刷を行うリボン作成方法、テープ印刷装置およびプログラムに関する。
【背景技術】
【０００２】
従来、この種の技術として特許文献１が知られている。特許文献１には、ユーザーが設定したラッピング対象物の寸法およびリボン飾り（リボン結び）の種類に応じて、リボン掛けおよびリボン飾りに必要となるリボンテープの長さを算出するテープ長作成装置が開示されている。また、特許文献１には、ユーザーが入力した情報に基づいてリボンテープに印刷画像を印刷することも開示されている。
【先行技術文献】
【特許文献】
【０００３】
【特許文献１】特開２０１４−１８０８３６号公報
【発明の概要】
【発明が解決しようとする課題】
【０００４】
ところが、特許文献１の技術では、印刷画像をリボンテープのどの位置に印刷するかについて考慮されていないため、リボン飾りの結び目や、ラッピング対象物の背面（リボン飾りされている面を表面としたときの裏面）など、ユーザーが意図しない位置に印刷画像が配置される虞がある。特に、特許文献１にようにオリジナルのリボンテープを作成する場合、作成者の思いが込められたメッセージをリボンテープに印刷する可能性が高く、またリボンテープの用途としては贈答品のラッピングが多いため、ユーザーのメッセージを適切な状態で相手に伝えたいといった要望が強い。また、装飾性の観点からも、例えば「蝶結び」の足の部分に印刷画像を印刷したいなど、リボン飾りの形状に適した位置に印刷画像を印刷できることが望ましい。
【０００５】
本発明は、上記の問題点に鑑み、ラッピングに用いるリボンテープに対し、ユーザーのメッセージなどを示す印刷画像を適切な位置に印刷可能なリボン作成方法、テープ印刷装置およびプログラムを提供することを目的とする。
【課題を解決するための手段】
【０００６】
本発明のリボン作成方法は、リボン飾りの完成形のイメージであるリボン飾りイメージ上に、印刷可能領域を表示する表示ステップと、印刷画像を印刷するための情報を取得する取得ステップと、取得ステップにて取得した情報に基づく印刷画像を、リボンテープに印刷するリボン作成ステップと、を実行し、リボン作成ステップは、リボン飾りイメージ上における印刷可能領域の配置に応じて、リボンテープ上における印刷画像の印刷位置を決定することを特徴とする。
【０００７】
本発明のテープ印刷装置は、リボン飾りの完成形のイメージであるリボン飾りイメージ上に、印刷可能領域を表示する表示部と、印刷画像を印刷するための情報を取得する取得部と、取得部が取得した情報に基づく印刷画像を、リボンテープに印刷する印刷部と、を備え、印刷部は、リボン飾りイメージ上における印刷可能領域の配置に応じて、リボンテープ上における印刷画像の印刷位置を決定することを特徴とする。
【０００８】
本発明のプログラムは、リボン飾りの完成形のイメージであるリボン飾りイメージ上に、印刷可能領域を表示する表示ステップと、印刷画像を印刷するための情報を取得する取得ステップと、取得ステップにて取得した情報に基づく印刷画像を、リボンテープに印刷するための印刷データを生成する印刷データ生成ステップと、をコンピューターに実行させるためのプログラムであって、印刷データ生成ステップは、リボン飾りイメージ上における印刷可能領域の配置に応じて、リボンテープ上における印刷画像の印刷位置を決定することを特徴とする。
【０００９】
本発明の構成によれば、リボン飾りイメージ上における印刷可能領域の配置に応じて、リボンテープ上における印刷画像の印刷位置を決定するため、リボンテープの適切な位置に印刷画像を印刷することができる。つまり、リボン飾りイメージ上における印刷可能領域の配置と、作成されたリボンテープでリボン飾りを完成させた場合のリボン飾り上における印刷画像の配置とが対応するため、リボン飾りを完成させたときに、ユーザーが意図しない位置に印刷画像が配置されることがない。
なお、印刷可能領域は、リボン飾りイメージ上に複数個所配置しても良い。
【００１０】
上記のリボン作成方法において、リボン飾りの種類を設定する設定ステップを実行し、表示ステップは、設定されたリボン飾りの種類に応じて、リボン飾りイメージを表示すると共に当該リボン飾りイメージ上に印刷可能領域を配置することを特徴とする。
【００１１】
本発明の構成によれば、リボン飾りの種類に応じて、リボンテープの適切な位置に印刷画像を印刷することができる。
なお、「リボン飾りの種類」とは、シングル蝶（結び目あり、結び目なし）、ダブル蝶（結び目あり、結び目なし）、アウェアネス・リボン、フラワーボウ、ディオールボウなどを指す。
【００１２】
上記のリボン作成方法において、設定されたリボン飾りの種類に応じて、リボン飾りを作成するために必要なリボンテープの長さを算出する算出ステップを実行し、リボン作成ステップは、リボンテープを算出ステップにて算出された長さに切断する、または当該長さに基づいてカットマークを印刷することを特徴とする。
【００１３】
本発明の構成によれば、リボン飾りの種類に応じて適切な長さとなるようにリボンテープを切断する、または手動カットするためのカットマークを印刷するため、リボンテープの無駄な消費を防止できる。
【００１４】
上記のリボン作成方法において、設定ステップは、ラッピングの対象となるラッピング対象物の寸法を設定し、算出ステップは、設定されたラッピング対象物の寸法に応じて、リボン飾りの作成およびラッピング対象物へのリボン掛けに必要なリボンテープの長さを算出することを特徴とする。
【００１５】
本発明の構成によれば、ラッピング対象物の寸法に応じて適切な長さとなるようにリボンテープを切断する、または手動カットするためのカットマークを印刷するため、リボンテープの無駄な消費を防止できる。
なお、リボンテープの長さの算出は、リボン飾りの作成とリボン掛けに必要な長さを合計して算出しても良いし、リボン飾りの作成とリボン掛けに必要な長さをそれぞれ個別に算出しても良い。前者の場合、１本のリボンテープが作成され、後者の場合、２本のリボンテープが作成される。
【００１６】
上記のリボン作成方法において、表示ステップは、ラッピング対象物のイメージである対象物イメージと、ラッピング対象物に掛けられたリボンテープのイメージであるリボン掛けイメージと、リボン飾りイメージと、を表示すると共に、リボン掛けイメージおよびリボン飾りイメージ上に、印刷可能領域を表示し、取得ステップは、印刷可能領域ごとに異なる情報を取得可能であることを特徴とする。
【００１７】
本発明の構成によれば、リボンテープに対し、リボン飾りを作成する部分だけでなく、リボン掛けする部分にも、印刷画像を印刷することができる。また、印刷画像の印刷位置に応じて、異なるメッセージを印刷することができる。
【００１８】
上記のリボン作成方法において、設定ステップは、ラッピング対象物へのリボン掛けの種類を設定し、表示ステップは、設定されたリボン掛けの種類に応じて、リボン掛けイメージを表示すると共に当該リボン掛けイメージ上に印刷可能領域を配置し、算出ステップは、設定されたリボン掛けの種類に応じて、リボンテープの長さを算出することを特徴とする。
【００１９】
本発明の構成によれば、リボン掛けの種類に応じて、リボンテープの適切な位置に印刷画像を印刷することができる。また、リボン掛けの種類に応じて適切な長さとなるようにリボンテープを切断するため、リボンテープの無駄な消費を防止できる。
【００２０】
上記のリボン作成方法において、ラッピング対象物を撮像する撮像ステップを実行し、設定ステップは、撮像ステップの撮像結果に応じて、ラッピング対象物の寸法を設定することを特徴とする。
【００２１】
本発明の構成によれば、ラッピング対象物の撮像結果に応じて、ラッピング対象物の寸法を設定するため、正確な寸法を設定することができると共にユーザーが寸法を入力する手間を省略できる。
なお、ラッピング対象物を撮像する際、スケールや所定の比較対象物を撮像領域内に含めることを条件としても良い。この構成によれば、ラッピング対象物の寸法をより正確に設定することができる。
【００２２】
上記のリボン作成方法において、リボン作成ステップは、リボンテープに、ラッピング対象物への掛け始めの位置、ラッピング対象物の角部へ当てる位置、リボン飾りの作成対象範囲、リボン飾りの結び位置、リボン飾りのリボン重なり位置、のうち少なくとも一つを示すマークを印刷することを特徴とする。
【００２３】
本発明の構成によれば、ユーザーは、リボンテープに印刷されたマークを基準として、ラッピング（リボン掛けやリボン飾りの作成）を見栄え良く行うことができる。
【図面の簡単な説明】
【００２４】
【図１】（ａ）は、リボンテープの作成例を示す図であり、（ｂ）は、リボン飾りの作成途中の状態を示す図であり、（ｃ）は、リボン飾りが完成した状態を示す図である。
【図２】印刷システムの構成図である。
【図３】携帯端末のハードウェア構成を示すブロック図である。
【図４】テープ印刷装置のハードウェア構成を示すブロック図である。
【図５】携帯端末およびテープ印刷装置の機能構成を示すブロック図である。
【図６】第１実施形態に係る設定画面の一例を示す図である。
【図７】第１実施形態に係るテキスト編集画面の一例を示す図である。
【図８】リボン掛けおよびリボン飾りの具体例を示す図である。
【図９】第２実施形態に係る設定画面の一例を示す図である。
【図１０】第２実施形態に係るテキスト編集画面の一例を示す図である。
【図１１】変形例１に係るテキスト編集画面の一例を示す図である。
【図１２】変形例２に係るイメージ表示領域の表示例を示す図である。
【図１３】変形例４に係るリボンテープの作成例を示す図である。
【図１４】変形例１０に係るテープ印刷装置の機能構成を示すブロック図である。
【発明を実施するための形態】
【００２５】
以下、添付の図面を参照して、本発明のリボン作成方法、テープ印刷装置およびプログラムについて説明する。以下の実施形態では、本発明のテープ印刷方法を、携帯端末１とテープ印刷装置３によって実現する。また、第１実施形態では、リボン飾り用のリボンテープＴの作成について言及し、第２実施形態では、ラッピング用（リボン掛けおよびリボン飾り用）のリボンテープＴの作成について言及する。
【００２６】
[第１実施形態]
第１実施形態では、図１（ａ）に示すリボンテープＴを作成する。同図において符号２１は、ユーザーが入力した情報に基づく印刷画像を示す。印刷画像２１は、リボン飾りの種類に応じて、リボンテープＴ上の予め定められた１以上の印刷位置に印刷可能である。また、符号２２ａ〜２２ｃで示す点線は、リボンテープＴを用いてリボン飾りを作成する際の指標となるガイド（マーク）を示す。ガイド２２についても、リボン飾りの種類に応じて、形状および印刷位置が予め定められている。なお、「リボン飾り」とは、リボンテープＴを結ぶ、リボンテープＴでループを形成する、リボンテープＴを重ねる、リボンテープＴを巻き付ける、などの手法によって作成される装飾品を指す。
【００２７】
一方、同図（ｂ）は、同図（ａ）のリボンテープＴの左端を左斜め下方に向け、リボンテープＴの中央部をひねってループを作成した状態を示す。このとき、ユーザーは、ガイド２２ａおよび２２ｃがループ交差部（２枚のリボンテープＴの重畳領域）を形成する平行四辺形の各一対の辺と重なるようにループを作成する。また、同図（ｃ）は、同図（ｂ）の状態から、リボンテープＴの他端（同図（ａ）の状態における右端）をひねってさらにもう一つのループを作成し、最初のループ交差部と２回目のループ交差部が重なるようにリボンテープＴの他端を右斜め下方に向けた状態を示す。このとき、ユーザーは、ガイド２２ｂがループ交差部（３枚のリボンテープＴの重畳領域）を形成する平行四辺形（菱型）の一対の辺と重なるようにループを作成する。
【００２８】
なお、同図（ｃ）は、リボン飾りの一種である「シングル蝶（結び目なし）」の完成形を示したものである。同図に示すように、本実施形態では、リボン飾りを作成した状態（完成形の状態）において適切な位置（同図の例では、蝶飾りの２つの足の部分）に印刷画像２１が配置されるように、リボンテープＴにおける印刷画像２１の印刷位置を決定する。詳細については、後述する。
【００２９】
図２は、本発明の一実施形態に係る印刷システムＳＹの構成図である。印刷システムＳＹは、携帯端末１およびテープ印刷装置３を備える。携帯端末１は、各種タブレット端末、スマートフォン（携帯電話）、ノート型パソコンなどによって実現される。同図では、携帯端末１として、タッチパネル１１を搭載したスマートフォンを用いた例を示している。携帯端末１は、Ｂｌｕｅｔｏｏｔｈ（登録商標）などの無線通信によってテープ印刷装置３と通信する。なお、携帯端末１とテープ印刷装置３間の通信は、ＵＳＢ通信やＥｔｈｅｒｎｅｔ（登録商標）などの有線通信規格を用いても良い。
【００３０】
テープ印刷装置３は、長尺状のリボンテープＴおよびインクリボンが収容されたテープカートリッジ３１が装着され、携帯端末１から印刷データを受信すると、テープカートリッジ３１からリボンテープＴを繰り出しつつ、印刷処理および切断処理を行う。リボンテープＴの印刷済み部分は、切断処理後、テープ排出口３２から排出される。なお、切断処理に代えて、印刷済み部分を手動でカットするためのカットマーク（テープ幅方向に延びる直線など）を印刷しても良い。
【００３１】
次に、図３および図４を参照し、携帯端末１およびテープ印刷装置３のハードウェア構成について説明する。図３は、携帯端末１のブロック図である。携帯端末１は、ハードウェア構成として、タッチパネル１１、Ｂｌｕｅｔｏｏｔｈ通信部１２、内臓メモリー１３および携帯端末側制御部１４を備えている。
【００３２】
タッチパネル１１は、表示画面１１ａおよび位置入力部１１ｂを含む。表示画面１１ａは、液晶パネルなどによって実現され、後述する設定画面Ｄ１およびテキスト編集画面Ｄ２など各種情報を表示する（図６、図７等参照）。一方、位置入力部１１ｂは、抵抗膜方式または静電容量方式によってユーザーの操作位置を検出する。Ｂｌｕｅｔｏｏｔｈ通信部１２は、Ｂｌｕｅｔｏｏｔｈ通信規格に基づき、テープ印刷装置３とペアリング処理を行い接続確立した後、無線通信を行う。
【００３３】
内臓メモリー１３は、例えばフラッシュＲＯＭ（登録商標）によって実現され、ＯＳ（Operating  System）１３ａや、専用アプリケーション１３ｂを記憶する。専用アプリケーション１３ｂは、リボンテープＴに印刷するテキスト（情報）の編集やテープ印刷装置３に印刷指示を行うためのスマートフォン用アプリケーションである。上記の設定画面Ｄ１およびテキスト編集画面Ｄ２は、当該専用アプリケーション１３ｂの一機能として表示される。
【００３４】
携帯端末側制御部１４は、ＣＰＵ（Central  Processing  Unit）およびＲＡＭ（Random  Access  Memory）等によって実現され、上記の各部（符号１１〜符号１３）と連携し、印刷データの生成処理やテープ印刷装置３との通信制御を行う。
【００３５】
図４は、テープ印刷装置３のブロック図である。テープ印刷装置３は、ハードウェア構成として、Ｂｌｕｅｔｏｏｔｈ通信部３３、カートリッジ検出部３４、印刷機構３５および印刷装置側制御部３６を備えている。
【００３６】
Ｂｌｕｅｔｏｏｔｈ通信部３３は、Ｂｌｕｅｔｏｏｔｈ通信規格に基づいて携帯端末１と通信を行う。カートリッジ検出部３４は、テープカートリッジ３１に収容されたリボンテープＴに関するテープ情報を検出する。テープ情報としては、リボンテープＴのテープ種類、テープ幅、テープ色、文字色（インク色）などを検出する。本実施形態においてテープ種類とは、リボンテープＴの縁がピンキングされたピンキングリボンか、リボンテープＴの縁がピンキングされていない通常リボンか、などを示す情報である。検出方法としては、テープカートリッジ３１に貼付または印刷されたコード画像（バーコードや２次元コードなど）やＲＦＩＤ（Radio  Frequency  Identification）を読み取る方法、テープカートリッジ３１に形成された１以上の孔の有無を検出する方法、などが考えられる。
【００３７】
印刷機構３５は、印刷ヘッド４１、テープ送りモーター４２、カッターモーター４３およびテープカッター４４を含む。印刷ヘッド４１は、サーマルヘッドであり、繰り出されたリボンテープＴおよびインクリボンを、プラテンローラー（図示省略）との間に挟み込んで印刷を行う。テープ送りモーター４２は、繰り出されたリボンテープＴを、印刷ヘッド４１からテープ排出口３２（図２参照）に向けて搬送する。カッターモーター４３は、テープカッター４４を駆動し、テープ送りを一旦停止した状態で、リボンテープＴの印刷済み部分をテープ幅方向に切断する。
【００３８】
印刷装置側制御部３６は、ＣＰＵやＲＡＭ等によって実現され、上記の各部（符号３３〜符号３５）と連携し、携帯端末１との通信制御や印刷制御を行う。具体的には、テープカートリッジ３１の装着時、携帯端末１との通信確立時または携帯端末１からの問い合わせがあったとき、Ｂｌｕｅｔｏｏｔｈ通信部３３を介してカートリッジ検出部３４によって検出したテープ情報を携帯端末１に送信する。また、携帯端末１からＢｌｕｅｔｏｏｔｈ通信部３３を介して印刷データを受信し、当該印刷データに基づいて印刷機構３５を制御する。
【００３９】
次に、図５を参照し、携帯端末１およびテープ印刷装置３の機能構成について説明する。携帯端末１は、機能構成として、表示部５１、設定部５２、算出部５３、入力部５４、取得部５５、印刷データ生成部５６および通信部５７を備える。これらの機能は、主に上記の専用アプリケーション１３ｂ（図３参照）によって提供される。また、テープ印刷装置３は、機能構成として、通信部６１、印刷部６２および切断部６３を備える。なお、請求項におけるラベル作成ステップは、印刷データ生成部５６、通信部５７、通信部６１、印刷部６２および切断部６３によって実現される。
【００４０】
表示部５１は、設定部５２の設定にしたがって、テキスト編集画面Ｄ２のイメージ表示領域Ｅ４に、リボン飾りの完成形のイメージであるリボン飾りイメージ７１を表示する。リボン飾りイメージ７１上には、リボン飾りの種類に応じて定まる１か所以上の印刷可能領域８０が表示される。また、各印刷可能領域８０には、それぞれ異なるテキスト（情報）を入力可能である。
【００４１】
設定部５２は、リボン飾りの種類を設定する。本実施形態では、リボン飾りの種類として、「シングル蝶（結び目なし）」、「シングル蝶（結び目あり）」、「ダブル蝶（結び目なし）」、「ダブル蝶（結び目あり）」などの選択肢の中からいずれかを選択可能である（図６のリボン飾り選択領域Ｅ１参照）。「シングル蝶」とは、ループが左右に１つずつできる蝶飾りである。また、「ダブル蝶」とは、ループが左右に２つずつできる蝶飾りである。また、「結び目なし」とは、リボンテープＴを重ね合わせてリボン飾りが作成されることを指し（図１（ｃ）参照）、「結び目あり」とは、リボンテープＴを結んでリボン飾りが作成されることを指す（図８（ｂ），（ｃ）参照）。なお、その他リボン飾りの種類として、フラワーボウ、ディオールボウなど一般的に「リボンボウ」と称されるものやアウェアネス・リボンなどを選択可能としても良い。なお、設定部５２の設定内容（リボン飾りの種類）は、表示部５１（テキスト編集画面Ｄ２）に反映される。
【００４２】
算出部５３は、設定部５２によって設定されたリボン飾りの種類に応じて、リボン飾りを作成するために必要なリボンテープＴの長さを算出する。算出方法としては、例えばリボン飾りの種類と、リボンテープＴの長さとを対応付けたテーブルから読み出す方法や、リボン飾りの種類をパラメーターとした所定のアルゴリズムにしたがって算出する方法などが考えられる。なお、リボン飾りの種類だけでなく、カートリッジ検出部３４により検出されたテープ幅を考慮してリボンテープＴの長さを算出しても良い。
【００４３】
入力部５４は、タッチパネル１１の操作によってテキスト（情報）を入力する。取得部５５は、入力部５４によって入力されたテキストを取得する。なお、取得部５５が取得したテキストは、表示部５１（テキスト編集画面Ｄ２）に反映される。
【００４４】
印刷データ生成部５６は、取得部５５によって取得されたテキストに基づく印刷画像２１と、リボン飾りを作成する際の指標となるガイド２２（図１参照）をリボンテープＴに印刷すると共に、リボンテープＴを算出部５３によって算出された長さに切断するための印刷データを生成する。ガイド２２を印刷するための画像データおよびその印刷位置を示す情報は、専用アプリケーション１３ｂの一部として予め記憶されている。
【００４５】
また、リボンテープＴ上における印刷画像２１の印刷位置およびリボン飾りイメージ７１上における印刷可能領域８０も、専用アプリケーション１３ｂの一部として予め記憶されている。つまり、本実施形態の印刷データ生成部５６は、リボン飾りイメージ７１上における印刷可能領域８０の配置と、実際に完成したリボン飾り上における印刷画像２１の配置と、が一致するように、印刷画像２１のリボンテープＴ上における印刷位置を決定する。通信部５７は、印刷データ生成部５６によって生成された印刷データをテープ印刷装置３に送信する。
【００４６】
一方、テープ印刷装置３の通信部６１は、携帯端末１から印刷データを受信する。印刷部６２は、通信部６１によって受信された印刷データに基づいて、印刷ヘッド４１により印刷画像２１およびガイド２２（図１参照）をリボンテープＴに印刷する。また、切断部６３は、通信部６１によって受信された印刷データに基づいて、テープカッター４４によりリボンテープＴを切断する。
【００４７】
次に、図６および図７を参照し、設定画面Ｄ１およびテキスト編集画面Ｄ２について説明する。図６は、設定画面Ｄ１の表示例を示す図である。設定画面Ｄ１は、リボン飾り選択領域Ｅ１、イメージ・サンプル表示領域Ｅ２、テープ情報表示領域Ｅ３、第１ＯＫボタン９１および第１キャンセルボタン９２を含む。第１ＯＫボタン９１が押下されると、設定画面Ｄ１の設定を完了して図７に示すテキスト編集画面Ｄ２を表示する。また、第１キャンセルボタン９２が押下されると、設定画面Ｄ１の設定をキャンセルする。なお、本実施形態では各種設定を行った後テキスト編集を行うが、テキスト編集を行った後各種設定を行う構成でも良い。
【００４８】
リボン飾り選択領域Ｅ１は、リボン飾りの種類を４種類の中から選択する。設定部５２は、当該選択結果に基づいて、リボン飾りの種類を設定する。イメージ・サンプル表示領域Ｅ２は、リボン飾り選択領域Ｅ１によって選択された種類のリボン飾りイメージ７１を表示する。また、リボン飾りイメージ７１上には、ユーザーが完成形をイメージし易いように、サンプルテキスト７１ａが表示される。
【００４９】
テープ情報表示領域Ｅ３は、カートリッジ検出部３４の検出結果であるテープ情報（テープ種類、テープ幅、テープ色、文字色）を表示する。このテープ情報は、テキスト編集画面Ｄ２に表示されるリボン飾りイメージ７１に反映される。
【００５０】
図７は、テキスト編集画面Ｄ２の表示例を示す図である。テキスト編集画面Ｄ２は、イメージ表示領域Ｅ４、テキスト編集領域Ｅ５、第２ＯＫボタン９３および第２キャンセルボタン９４を含む。第２ＯＫボタン９３が押下されると、テキスト編集画面Ｄ２の設定を完了して不図示の印刷実行画面を表示する。印刷実行画面では、印刷ボタンの押下によって印刷実行を指示する。また、第２キャンセルボタン９４が押下されると、テキスト編集画面Ｄ２の編集内容をキャンセルする。
【００５１】
イメージ表示領域Ｅ４は、リボン飾りイメージ７１上に、１か所以上の印刷可能領域８０を表示する。同図の例は、リボン飾りの種類として「シングル蝶（結び目なし）」が選択された場合を示しており、この場合、２か所の印刷可能領域８１，８２を表示する。
【００５２】
テキスト編集領域Ｅ５は、テキストの入力を行う領域である。同図の例では、２か所の印刷可能領域８１，８２に対応して、「テキスト１」と「テキスト２」の２つのテキスト入力領域７８，７９を表示する。各テキスト入力領域７８，７９のテキスト入力枠の長さは、各印刷可能領域８１，８２の長さに対応している。つまり、各テキスト入力枠に入力可能な文字数は、対応する各印刷可能領域８１，８２の長さに応じて制限される。また、各テキスト入力枠に入力された文字は、印刷可能領域８１，８２に反映される。
【００５３】
また、各テキスト入力領域７８，７９では、テキストの配置（「前寄せ」、「中寄せ」、「均等割付け」、「後寄せ」のいずれか）を選択可能であり、その選択結果に応じて、各印刷可能領域８１，８２にテキストが入力される。なお、印刷可能領域８０の前後は、印刷可能領域８０近傍に配置された「テキスト１」と「テキスト２」の文字によって区別可能である。また、特に図示しないが、テキストの配置以外にも、テキストのフォントサイズやフォント種類を選択可能としても良い。
【００５４】
なお、図６の設定画面Ｄ１および図７のテキスト編集画面Ｄ２によるリボンテープＴの作成例は、図１（ａ）に示すとおりである。ユーザーは、このリボンテープＴを前述の手順にしたがって曲げたりガイド２２に沿って重ねたりすることで、図１（ｃ）に示すリボン飾りを完成させる。
【００５５】
以上説明したとおり、第１実施形態によれば、イメージ表示領域Ｅ４に表示されたリボン飾りイメージ７１上における印刷可能領域８０の配置が、完成したリボン飾り上における印刷画像２１の配置と一致するように、リボンテープＴ上における印刷画像２１の印刷位置を決定するため、リボン飾りを完成させたときに、ユーザーが意図しない位置に印刷画像２１が配置されることがない。また、リボンテープＴには、ユーザーが任意に入力したテキストを印刷可能であるため、ユーザーの気持ちを込めたオリジナリティーの高いリボン飾りを作成することができる。
【００５６】
また、本実施形態では、リボン飾りの種類を選択可能であるため、ユーザーの好みに応じたリボン飾りを作成することができる。また、ユーザーが選択したリボン飾りの種類に応じて適切な長さとなるようにリボンテープＴを切断するため、リボンテープＴの無駄な消費を防止できる。
【００５７】
［第２実施形態］
次に、図８〜図１２を参照し、本発明の第２実施形態について説明する。第１実施形態では、リボン飾り用のリボンテープＴを作成したが、本実施形態では、ラッピング用のリボンテープＴを作成する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５８】
本実施形態に係る印刷システムＳＹの機能構成は、第１実施形態（図５参照）と同様である。但し、本実施形態の設定部５２は、リボン飾りの種類の他、ラッピングの対象となるラッピング対象物Ｂの寸法と、ラッピング対象物Ｂへのリボン掛けの種類を設定する。なお、「リボン掛け」とは、ラッピング対象物Ｂの表面に沿ってリボンテープＴを掛けることを指す。また、「ラッピング」とは、ラッピング対象物ＢにリボンテープＴを掛けたり、ラッピング対象物Ｂを装飾するためのリボン飾りを作成したりすることを指す。
【００５９】
本実施形態の算出部５３は、設定部５２の設定にしたがってリボンテープＴの長さを算出する。つまり、設定された寸法のラッピング対象物Ｂに対し、設定された種類のリボン掛けおよびリボン飾りを行うために必要なリボンテープＴの長さを算出する。本実施形態では、リボン飾りの種類として「結び目あり」が選択された場合は、リボン飾りの作成とリボン掛けに必要な長さを合計してリボンテープＴの長さを算出する。一方、リボン飾りの種類として「結び目なし」が選択された場合は、リボン飾りの作成とリボン掛けに必要な長さをそれぞれ個別に算出する。印刷データ生成部５６は、前者の場合、１本のリボンテープＴを作成するための印刷データを生成し、後者の場合、２本のリボンテープＴ（リボン飾り用とリボン掛け用）を作成するための印刷データを生成する。
【００６０】
また、本実施形態の表示部５１は、設定部５２の設定にしたがって、ラッピング対象物Ｂのイメージである対象物イメージ７２と、ラッピング対象物Ｂに掛けられたリボンテープＴのイメージであるリボン掛けイメージ７３と、ラッピング対象物Ｂ上に配置されたリボン飾りのイメージであるリボン飾りイメージ７１と、を表示する（図１０参照）。但し、リボン飾りの種類として「なし」が選択された場合、リボン飾りイメージ７１は表示しない。また、リボン飾りイメージ７１およびリボン掛けイメージ７３上には、１以上の印刷可能領域８０を表示する。なお、対象物イメージ７２上におけるリボン掛けイメージ７３の配置（「十字掛け」の場合の交差位置など）は、設定されたリボン掛けの種類やラッピング対象物Ｂの寸法に応じて自動的に決定する。
【００６１】
図８は、直方体状（箱形）のラッピング対象物Ｂに対してラッピングを行った場合の具体例を示す図である。同図では印刷画像２１の図示を省略している。図８（ａ）は、リボン掛けの種類が「横一文字掛け」、リボン飾りの種類が「なし」のラッピング例を示す。リボン飾り「なし」の場合は、リボンテープＴの両端部が、粘着テープ等を介して貼り合せられる。図８（ｂ）は、リボン掛けの種類が「十字掛け」（クロス掛け）、リボン飾りの種類が「シングル蝶（結び目あり）」のラッピング例を示す。また、図８（ｃ）は、リボン掛けの種類が「横トライアングル掛け」（Ｖ字掛け）、リボン飾りの種類が「ダブル蝶（結び目あり）」のラッピング例を示す。
【００６２】
図９は、第２実施形態に係る設定画面Ｄ１の一例を示す図である。設定画面Ｄ１は、リボン飾り選択領域Ｅ１、リボン掛け選択領域Ｅ６、寸法入力領域Ｅ７およびテープ情報表示領域Ｅ３を含む。リボン飾り選択領域Ｅ１では、リボン飾りの種類として「なし」を選択可能である。
【００６３】
リボン掛け選択領域Ｅ６では、リボン掛けの種類を選択する。本実施形態では、「リボン掛けなし」、「横一文字掛け」（図８（ａ）参照）、「縦一文字掛け」、「十字掛け」（図８（ｂ）参照）、「横トライアングル掛け」（図８（ｃ）参照）、のいずれかを選択可能である。なお、「縦一文字掛け」は、図８（ａ）に示した「横一文字掛け」と交差する方向にリボンテープＴを掛ける掛け方である。「横一文字掛け」の場合は、ラッピング対象物Ｂの幅方向にリボンテープＴが掛けられ、「縦一文字掛け」の場合は、奥行き方向にリボンテープＴが掛けられる。また、「リボン掛けなし」は、リボン飾りのみを作成する場合に選択される。一方、寸法入力領域Ｅ７では、ラッピング対象物Ｂが直方体であることを前提とし、「幅」、「奥行き」および「高さ」についてそれぞれ数値入力する。
【００６４】
図１０は、第２実施形態に係るテキスト編集画面Ｄ２の一例を示す図である。テキスト編集画面Ｄ２のイメージ表示領域Ｅ４には、ラッピング対象物Ｂのイメージである対象物イメージ７２と、リボン掛けイメージ７３と、を表示する。ここでは、寸法入力領域Ｅ７で入力された寸法に基づいて対象物イメージ７２を立体的に表示し、さらにリボン掛け選択領域Ｅ６の選択結果に基づいてリボン掛けイメージ７３を表示する。また、設定画面Ｄ１のリボン飾り選択領域Ｅ１において、リボン飾りの種類「なし」以外が選択された場合は、対象物イメージ７２上にリボン飾りイメージ７１を表示する。なお、「結び目なし」のリボン飾りが選択された場合は、対象物イメージ７２とは別にリボン飾りイメージ７１を表示しても良い。
【００６５】
また、本実施形態では、リボン掛けイメージ７３上に、１か所以上の印刷可能領域８０を表示する。同図の例は、リボン飾りの種類として「十字掛け」が選択された場合を図示しており、この場合、５か所の印刷可能領域８１〜８５を表示する。本実施形態においても、テキスト編集領域Ｅ５で入力された各テキストが、対応する各印刷可能領域に反映される。なお、対象物イメージ７２およびリボン掛けイメージ７３は、ユーザーの回転操作（例えば、イメージ表示領域Ｅ４上をタッチして円を描くような操作）により、３６０°回転表示させることが可能である。つまり、様々な角度から対象物イメージ７２を視認できる。この回転操作により、対象物イメージ７２の裏面など同図では視認できない面に掛けられているリボン掛けイメージ７３上の印刷可能領域８０を表示可能である。一方、テキスト編集領域Ｅ５では、同図では視認不可能な印刷可能領域８０を含め、合計１０か所の印刷可能領域８１〜８５に対応して１０種類のテキストを入力可能である。「テキスト１」および「テキスト２」以外のテキスト入力領域は、スクロールバー６５の操作により表示可能である。但し、全ての印刷可能領域８０に対してテキスト入力を行う必要はなく、ユーザーが必要と判断した箇所のみ入力すれば良い。
【００６６】
なお、リボン掛けの種類として「十字掛け」が選択された場合以外の、リボン掛けイメージ７３上における印刷可能領域８０の配置の図示は省略するが、表示部５１は、原則的にリボン掛けの種類とラッピング対象物Ｂの寸法とに基づいて印刷可能領域８０を配置する。つまり、表示部５１は、リボン掛けイメージ７３の交差部分、対象物イメージ７２の角部付近、リボン結びによりリボン掛けイメージ７３が絞られる部分（「横トライアングル掛け」のトライアングル部分など，図８（ｃ）参照）を避けた領域に印刷可能領域８０を配置する。なお、リボン掛けイメージ７３の交差部分については、図１０に示したように、重ねられる側のみ印刷可能領域８０の配置を避けても良いし、重ねる側と重ねられる側の両方の印刷可能領域８０の配置を避けても良い。後者によれば、リボンテープＴの重ねる側と重ねられる側が逆になった場合でも、印刷画像２１の視認を妨げることがない。
【００６７】
以上説明したとおり、第２実施形態によれば、リボン飾りだけでなく、ラッピング対象物Ｂにリボン掛けされる部分にも、印刷画像２１を配置させることができる。また、ラッピング対象物Ｂの寸法やリボン掛けの種類に応じて、リボンテープＴの適切な位置に印刷画像２１を印刷することができる。また、ラッピング対象物Ｂの寸法やリボン掛けの種類に応じて適切な長さとなるようにリボンテープＴを切断するため、リボンテープＴの無駄な消費を防止できる。
【００６８】
以上、２つの実施形態を示したが、各実施形態では以下の変形例を採用可能である。
[変形例１]
第２実施形態では、イメージ表示領域Ｅ４において対象物イメージ７２を立体的に表示したが（図１０参照）、図１１に示すように平面的に表示しても良い。この場合、ユーザーは、対象物イメージ７２の編集対象となる面を編集対象選択領域６７によって選択可能である。本例では、直方体の最も面積が広い面を「表面」とし、「表面」、「裏面」、「右側面」、「左側面」、「前面」、「背面」の中から編集対象となる面を選択する。
【００６９】
[変形例２]
第２実施形態では、対象物イメージ７２上におけるリボン掛けイメージ７３の配置を、リボン掛けの種類やラッピング対象物Ｂの寸法に応じて自動決定するものとしたが、ユーザーが指定可能としても良い。例えば、図１２（ａ）に示すように、対象物イメージ７２上にクロスマーク７５を表示し、当該クロスマーク７５の位置をドラッグ操作等で変更することにより、リボン飾りが「十字掛け」の場合のリボン掛けイメージ７３の交差位置を指定可能としても良い。つまり、同図（ａ）のようにクロスマーク７５が指定された場合は、同図（ｂ）のようにリボン掛けイメージ７３を表示する。また、リボン掛けイメージ７３の交差位置の変更に伴い、印刷可能領域８０の長さや領域形状も変更となる。なお、「十字掛け」以外にも、リボン掛けイメージ７３の配置によってリボンテープＴの長さや印刷可能領域８０の配置が変わるようなリボン掛けの種類の場合（「横トライアングル掛け」など）は、リボン掛けイメージ７３の配置をユーザーが指定可能としても良い。
【００７０】
[変形例３]
第２実施形態では、ラッピング対象物Ｂの寸法をユーザーが数値入力したが、ラッピング対象物Ｂを撮像し（撮像ステップ）、その撮像結果に応じて、ラッピング対象物Ｂの寸法を設定しても良い。この構成によれば、ラッピング対象物Ｂの寸法を正確に設定することができ、且つユーザーが寸法を数値入力する手間を省略できる。また、ラッピング対象物Ｂを撮像する際、スケールや所定の比較対象物（テープカートリッジ３１など）を撮像領域内に含めることを条件としても良い。この構成によれば、ラッピング対象物Ｂの寸法をより正確に設定することができる。
【００７１】
[変形例４]
第１実施形態では、リボン飾りのリボン重なり位置に合わせて、リボンテープＴ上にガイド２２を印刷したが、これ以外にも種々のマークを印刷しても良い。例えば、図１３（ａ）に示すように、リボンテープＴの端部をＶ字形にカットするためのカット線２４を印刷しても良い。また、図１３（ｂ）に示すように、ラッピング対象物Ｂにリボン掛けする際の角部へ当てる位置に、掛ける順序を示すマーク２５を印刷しても良い。同図の例は、リボン掛けの種類として「縦一文字」が選択された場合のリボン掛けの順序をドットの数で示している。つまり、マーク２５ａ、マーク２５ｂ、マーク２５ｃ、マーク２５ｄの順に、各位置がラッピング対象物Ｂの角部に位置するようにリボン掛けすることで、見栄えの良いラッピングを行うことができる。なお、マーク２５として、ドット以外に数字や記号などのキャラクターを印刷しても良い。
【００７２】
また、特に図示しないが、さらなる変形例として、ラッピング対象物Ｂへの掛け始めの位置、リボン飾りの作成対象範囲、リボン飾りの結び位置などを示すマークを印刷しても良い。但し、「リボン飾りの作成対象範囲」は、１本のリボンテープＴでリボン掛けとリボン飾りの作成を行う場合において、リボン掛けの後にリボン飾りを作成する場合は、リボン飾りの作成開始位置のみを印刷しても良い。同様に、リボン飾りを作成した後にリボン掛けを行う場合は、リボン飾りの作成終了位置のみを印刷しても良い。
【００７３】
また、さらなる変形例として、リボンテープＴに対し両面印刷が可能である場合、印刷画像２１の印刷面とは逆の面（裏面）に、上記ガイド２２やマーク２５を印刷しても良い。
【００７４】
[変形例５]
第１実施形態では、テープカートリッジ３１によりリボンテープＴを供給したが、必ずしもカートリッジで供給しなくても良い。例えば、市販の各種装飾テープを装填可能な構成とし、当該装飾テープに対して印刷および切断を行うことで、上記の実施形態のリボンテープＴを作成しても良い。
【００７５】
[変形例６]
第１実施形態では、１本のリボンテープＴで作成可能なリボン飾りを例示したが、複数本のリボンテープＴが必要なリボン飾りも作成可能である。この場合、複数本のリボンテープＴを作成すれば良い。またこの場合、各リボンテープＴに作成順序を示すマークを印刷しても良い。
【００７６】
[変形例７]
第１実施形態および第２実施形態では、印刷可能領域８０の長さに応じて入力可能なテキスト数を制限したが、テキスト数の制限をなくしても良い。この場合、入力されたテキスト数に応じて印刷可能領域８０を拡張し、当該印刷可能領域８０の拡張に伴ってリボンテープＴの長さを可変しても良い。
【００７７】
[変形例８]
第１実施形態および第２実施形態の取得部５５は、入力部５４によって入力されたテキストを取得したが、外部記憶媒体から読み出されたテキストを取得しても良いし、外部装置から送信されたテキストを取得しても良い。また、定型文を複数記憶しておき、それらの中から選択された定型文を取得しても良い。
【００７８】
[変形例９]
第１実施形態では、リボン飾りの種類に応じてリボン飾りイメージ７１上における印刷可能領域８０の配置が予め決まっているものとしたが、ユーザーがリボン飾りイメージ７１上の任意の位置に印刷可能領域８０を指定できる構成としても良い。例えば、イメージ表示領域Ｅ４のリボン飾りイメージ７１上に矩形枠を書き込むことで、印刷可能領域８０を指定しても良い。またこの場合、第２実施形態のように、リボン飾りイメージ７１を、ユーザーの回転操作によって３６０°回転表示可能としても良い。さらに、第２実施形態のリボン掛けイメージ７３上における印刷可能領域８０の配置についても、ユーザーが任意に指定可能としても良い。
【００７９】
[変形例１０]
第１実施形態および第２実施形態では、本発明のテープ印刷方法を、携帯端末１とテープ印刷装置３によって実現したが、テープ印刷装置３単体で実現しても良い。図１４は、本変形例に係るテープ印刷装置３の機能構成を示すブロック図である。テープ印刷装置３は、表示部１０１、設定部１０２、算出部１０３、入力部１０４、取得部１０５およびラベル作成部６０を備える。表示部１０１、設定部１０２、算出部１０３、入力部１０４および取得部１０５は、それぞれ第１実施形態の表示部５１、設定部５２、算出部５３、入力部５４および取得部５５に対応する。また、ラベル作成部６０は、印刷部６２および切断部６３を含む。請求項におけるラベル作成ステップは、ラベル作成部６０によって実現される。本変形例によれば、テープ印刷装置３のみの簡易な構成で、第１実施形態および第２実施形態に示したリボンテープＴを作成することができる。
【００８０】
[その他の変形例]
上記の実施形態および変形例に示した携帯端末１またはテープ印刷装置３における各構成要素をプログラムとして提供しても良い。また、そのプログラムを各種記録媒体（ＣＤ−ＲＯＭ、フラッシュメモリー等）に格納して提供しても良い。すなわち、コンピューターを携帯端末１またはテープ印刷装置３の各構成要素として機能させるためのプログラム、およびそれを記録した記録媒体も、本発明の権利範囲に含まれる。その他、携帯端末１またはテープ印刷装置３の各部（各機能）をクラウドコンピューティングで実現したり、携帯端末１を他の情報処理装置で実現するなど、本発明の要旨を逸脱しない範囲で、適宜変更が可能である。
【符号の説明】
【００８１】
１：携帯端末  ３：テープ印刷装置  １１：タッチパネル  １１ａ：表示画面  ２１：印刷画像  ２２：ガイド  ２４：カット線  ２５：マーク  ５１：表示部  ５２：設定部  ５３：算出部  ５４：入力部  ５５：取得部  ５６：印刷データ生成部  ５７：通信部  ６０：ラベル作成部  ６１：通信部  ６２：印刷部  ６３：切断部  ６５：スクロールバー  ６７：編集対象選択領域  ７１：リボン飾りイメージ  ７１ａ：サンプルテキスト  ７２：対象物イメージ  ７３：リボン掛けイメージ  ７５：クロスマーク  ７８：テキスト入力領域  ７９：テキスト入力領域  ８０（８１〜８５）：印刷可能領域  Ｂ：ラッピング対象物  Ｄ１：設定画面  Ｄ２：テキスト編集画面  Ｅ１：リボン飾り選択領域  Ｅ２：イメージ・サンプル表示領域  Ｅ３：テープ情報表示領域  Ｅ４：イメージ表示領域  Ｅ５：テキスト編集領域  Ｅ６：リボン掛け選択領域  Ｅ７：寸法入力領域  ＳＹ：印刷システム  Ｔ：リボンテープ
【図１】
2016189129.tif 000003
【図２】
2016189129.tif 000004
【図３】
2016189129.tif 000005
【図４】
2016189129.tif 000006
【図５】
2016189129.tif 000007
【図６】
2016189129.tif 000008
【図７】
2016189129.tif 000009
【図８】
2016189129.tif 000010
【図９】
2016189129.tif 000011
【図１０】
2016189129.tif 000012
【図１１】
2016189129.tif 000013
【図１２】
2016189129.tif 000014
【図１３】
2016189129.tif 000015
【図１４】
2016189129.tif 000016